(57)【特許請求の範囲】
【請求項１】
第１の無線通信方式と第２の無線通信方式とを含む複数個の無線通信方式のうちの１個の無線通信方式を選択的に利用して通信する端末装置であって、
前記端末装置の無線通信設定が、前記第１の無線通信方式を利用するための設定である状態で、前記第１の無線通信方式を利用して外部から取得される第１の特定データによって表わされる第１の画像が表示部に表示されている間に、前記第１の画像を印刷装置に印刷させるための第１の印刷指示が、ユーザから与えられることを条件として、前記第１の画像を表わす特定の画像データを、所定の記憶領域に記憶させる記憶制御部と、
前記端末装置の無線通信設定を判断する判断部と、
前記判断部によって、前記端末装置の無線通信設定が、前記第１の無線通信方式を利用するための設定であると判断される場合であって、前記特定の画像データが前記所定の記憶領域に記憶された後、前記端末装置の前記無線通信設定が、前記第１の無線通信方式を利用するための前記設定から、前記第２の無線通信方式を利用するための設定に変更される特定の場合に、前記所定の記憶領域内の前記特定の画像データを用いて得られる第１の印刷データを、前記第２の無線通信方式を利用して、前記印刷装置に供給する供給部であって、
前記判断部によって、前記端末装置の無線通信設定が、前記第２の無線通信方式を利用するための設定であると判断される場合であって、前記端末装置の前記無線通信設定が、前記第２の無線通信方式を利用するための設定である状態で、前記第２の無線通信方式を利用して外部から取得される第２の特定データによって表わされる第２の画像が前記表示部に表示されている間に、前記第２の画像を前記印刷装置に印刷させるための第２の印刷指示が、前記ユーザから与えられる場合に、前記端末装置の前記無線通信設定を変更せずに、前記第２の特定データを用いて得られる第２の印刷データを、前記第２の無線通信方式を利用して、前記印刷装置に供給する、前記供給部と、
を備える端末装置。
【請求項２】
前記特定の場合に、前記特定の画像データによって表わされる前記第１の画像を、前記表示部に表示させる表示制御部を、さらに備える請求項１に記載の端末装置。
【請求項３】
前記端末装置に搭載されるコンピュータが特定のアプリケーションプログラムに従って処理を実行することによって、前記記憶制御部と前記供給部と終了制御部とのそれぞれの機能が実現され、
前記終了制御部は、前記特定の画像データが前記所定の記憶領域に記憶されたことを契機として、前記特定のアプリケーションプログラムを終了させる、請求項１又は２に記載の端末装置。
【請求項４】
前記ユーザによって指定される印刷条件に従って、前記特定の画像データから前記第１の印刷データを生成する生成部を、さらに備える、請求項１から３のいずれか一項に記載の端末装置。
【請求項５】
前記第１の印刷指示が前記ユーザから与えられることを条件として、前記端末装置の前記無線通信設定が、前記第１の無線通信方式を利用するための前記設定から、前記第２の無線通信方式を利用するための前記設定に変更されることを示す情報を、前記表示部に表示させる表示制御部を、さらに備える、請求項１から４のいずれか一項に記載の端末装置。
【請求項６】
前記記憶制御部は、さらに、前記第１の印刷データが前記印刷装置に供給された後に、前記所定の記憶領域内の特定の領域であって、前記特定の画像データが記憶されている前記特定の領域を解放する、請求項１から５のいずれか一項に記載の端末装置。
【請求項７】
前記第１の特定データは、前記第１の無線通信方式を利用してウェブサーバから取得されるウェブページデータを含む、請求項１から６に記載の端末装置。
【請求項８】
前記第１の無線通信方式は、国際電気通信連合（Ｉｎｔｅｒｎａｔｉｏｎａｌ  Ｔｅｌｅｃｏｍｍｕｎｉｃａｔｉｏｎ  Ｕｎｉｏｎ）によって策定された規格に準拠した通信方式であり、
前記第２の無線通信方式は、Ｗｉ−Ｆｉ  Ａｌｌｉａｎｃｅによって策定された規格に準拠した通信方式である、請求項１から７のいずれか一項に記載の端末装置。
【請求項９】
第１の無線通信方式と第２の無線通信方式とを含む複数個の無線通信方式のうちの１個の無線通信方式を選択的に利用して通信する端末装置のためのコンピュータプログラムであって、
前記端末装置に搭載されるコンピュータに、
前記端末装置の無線通信設定が、前記第１の無線通信方式を利用するための設定である状態で、前記第１の無線通信方式を利用して外部から取得される第１の特定データによって表わされる第１の画像が表示部に表示されている間に、前記第１の画像を印刷装置に印刷させるための第１の印刷指示が、ユーザから与えられることを条件として、前記第１の画像を示す特定の画像データを、所定の記憶領域に記憶させる記憶制御処理と、
前記端末装置の無線通信設定を判断する判断処理と、
前記判断処理によって、前記端末装置の無線通信設定が、前記第１の無線通信方式を利用するための設定であると判断される場合であって、前記特定の画像データが前記所定の記憶領域に記憶された後、前記端末装置の前記無線通信設定が、前記第１の無線通信方式を利用するための前記設定から、前記第２の無線通信方式を利用するための設定に変更される特定の場合に、前記所定の記憶領域内の前記特定の画像データを用いて得られる第１の印刷データを、前記第２の無線通信方式を利用して、前記印刷装置に供給する供給処理であって、
前記判断処理によって、前記端末装置の無線通信設定が、前記第２の無線通信方式を利用するための設定であると判断される場合であって、前記端末装置の前記無線通信設定が、前記第２の無線通信方式を利用するための設定である状態で、前記第２の無線通信方式を利用して外部から取得される第２の特定データによって表わされる第２の画像が前記表示部に表示されている間に、前記第２の画像を前記印刷装置に印刷させるための第２の印刷指示が、前記ユーザから与えられる場合に、前記端末装置の前記無線通信設定を変更せずに、前記第２の特定データを用いて得られる第２の印刷データを、前記第２の無線通信方式を利用して、前記印刷装置に供給する、前記供給処理と、
を実行させるコンピュータプログラム。
【発明の詳細な説明】
【技術分野】
【０００１】
本明細書では、複数個の無線通信方式のうちの１個の無線通信方式を選択的に利用して通信する端末装置を開示する。
【背景技術】
【０００２】
特許文献１には、複数個の通信方式のうちの１個の通信方式を選択的に利用して、外部装置と通信するクライアント装置が開示されている。クライアント装置は、複数個の通信方式のうち、プリンタが利用可能な通信方式を選択的に利用して、プリンタに印刷データを送信する。
【先行技術文献】
【特許文献】
【０００３】
【特許文献１】特開２００４−３３４８３７号公報
【発明の概要】
【発明が解決しようとする課題】
【０００４】
上記の特許文献１の技術では、クライアント装置が、クライアント装置に現在設定されている通信方式を利用して、外部装置から特定のデータを取得し、当該特定のデータによって表わされる特定の画像を表示部に表示させることについて、何ら開示されていない。従って、上記の特許文献１の技術では、上記の特定の画像が表示部に表示されている間に、上記の特定の画像を印刷装置に印刷させるための印刷指示が、ユーザから与えられる状況について想定されていない。本明細書では、上記のような状況において、ユーザが望む印刷結果をユーザに適切に提供し得る技術を提供する。
【課題を解決するための手段】
【０００５】
本明細書によって開示される技術は、第１の無線通信方式と第２の無線通信方式とを含む複数個の無線通信方式のうちの１個の無線通信方式を選択的に利用して通信する端末装置であって、前記端末装置の無線通信設定が、前記第１の無線通信方式を利用するための設定である状態で、前記第１の無線通信方式を利用して外部から取得される第１の特定データによって表わされる第１の画像が表示部に表示されている間に、前記第１の画像を印刷装置に印刷させるための第１の印刷指示が、ユーザから与えられることを条件として、前記第１の画像を表わす特定の画像データを、所定の記憶領域に記憶させる記憶制御部と、前記端末装置の無線通信設定を判断する判断部と、前記判断部によって、前記端末装置の無線通信設定が、前記第１の無線通信方式を利用するための設定であると判断される場合であって、前記特定の画像データが前記所定の記憶領域に記憶された後、前記端末装置の前記無線通信設定が、前記第１の無線通信方式を利用するための前記設定から、前記第２の無線通信方式を利用するための設定に変更される特定の場合に、前記所定の記憶領域内の前記特定の画像データを用いて得られる第１の印刷データを、前記第２の無線通信方式を利用して、前記印刷装置に供給する供給部であって、前記判断部によって、前記端末装置の無線通信設定が、前記第２の無線通信方式を利用するための設定であると判断される場合であって、前記端末装置の前記無線通信設定が、前記第２の無線通信方式を利用するための設定である状態で、前記第２の無線通信方式を利用して外部から取得される第２の特定データによって表わされる第２の画像が前記表示部に表示されている間に、前記第２の画像を前記印刷装置に印刷させるための第２の印刷指示が、前記ユーザから与えられる場合に、前記端末装置の前記無線通信設定を変更せずに、前記第２の特定データを用いて得られる第２の印刷データを、前記第２の無線通信方式を利用して、前記印刷装置に供給する、前記供給部と、を備える端末装置である。
本明細書によって開示される他の技術は、第１の無線通信方式と第２の無線通信方式とを含む複数個の無線通信方式のうちの１個の無線通信方式を選択的に利用して通信する端末装置である。端末装置は、記憶制御部と供給部とを備える。記憶制御部は、端末装置の無線通信設定が、第１の無線通信方式を利用するための設定である状態で、第１の無線通信方式を利用して外部から取得される第１の特定データによって表わされる第１の画像が表示部に表示されている間に、第１の画像を印刷装置に印刷させるための第１の印刷指示が、ユーザから与えられることを条件として、第１の画像を表わす特定の画像データを、所定の記憶領域に記憶させる。供給部は、上記の特定の画像データが上記の所定の記憶領域に記憶された後、端末装置の無線通信設定が、第１の無線通信方式を利用するための設定から、第２の無線通信方式を利用するための設定に変更される特定の場合に、上記の所定の記憶領域内の上記の特定の画像データを用いて得られる第１の印刷データを、第２の無線通信方式を利用して、印刷装置に供給する。
【０００６】
上記の構成では、第１の無線通信方式を利用して外部から取得される第１の特定データによって表わされる第１の画像が表示部に表示されている間に、第１の画像を印刷装置に印刷させるための第１の印刷指示が、ユーザから与えられる状況を想定している。このような状況において、端末装置は、第１の画像を表わす特定の画像データを、所定の記憶領域に記憶させる。このため、端末装置の無線通信設定が、第１の無線通信方式を利用するための設定から、第２の無線通信方式を利用するための設定に変更された後に、端末装置は、第２の無線通信方式を利用して外部から第１の特定データを再び取得せずに済み、所定の記憶領域内の特定の画像データを用いて得られる第１の印刷データを、印刷装置に供給することができる。この結果、印刷装置は、第１の印刷データに従って、第１の画像を印刷媒体に印刷する。従って、ユーザが望む印刷結果をユーザに適切に提供し得る。
【０００７】
供給部は、さらに、端末装置の無線通信設定が、第２の無線通信方式を利用するための設定である状態で、第２の無線通信方式を利用して外部から取得される第２の特定データによって表わされる第２の画像が表示部に表示されている間に、第２の画像を印刷装置に印刷させるための第２の印刷指示が、ユーザから与えられることを条件として、端末装置の無線通信設定を変更せずに、第２の特定データを用いて得られる第２の印刷データを、第２の無線通信方式を利用して、印刷装置に供給してもよい。この構成によれば、端末装置は、第２の印刷指示がユーザから与えられる場合に、端末装置の無線通信設定を変更せずに、印刷装置に第２の印刷データを供給することができる。この結果、印刷装置は、第２の印刷データに従って、第２の画像を印刷媒体に印刷する。従って、ユーザが望む印刷結果をユーザに適切に提供し得る。
【０００８】
端末装置は、上記の特定の場合に、上記の特定の画像データによって表わされる第１の画像を、表示部に表示させる表示制御部を、さらに備えていてもよい。この構成によれば、ユーザは、上記の特定の場合に、表示部に表示される第１の画像を見ることによって、印刷装置で印刷されるべき画像を確認することができる。
【０００９】
端末装置に搭載されるコンピュータが特定のアプリケーションプログラムに従って処理を実行することによって、記憶制御部と供給部と終了制御部とのそれぞれの機能が実現されてもよい。終了制御部は、上記の特定の画像データが上記の所定の記憶領域に記憶されたことを契機として、特定のアプリケーションプログラムを終了させてもよい。この構成によれば、端末装置は、特定の画像データが所定の記憶領域に記憶されると、特定のアプリケーションプログラムを終了させるために、無線通信設定の変更を適切に実行することができる。
【００１０】
端末装置は、ユーザによって指定される印刷条件に従って、上記の特定の画像データから第１の印刷データを生成する生成部を、さらに備えていてもよい。この構成によれば、印刷装置は、ユーザによって指定された印刷条件に従って生成された第１の印刷データを用いて、印刷を実行することができる。従って、ユーザが望む印刷結果をユーザに適切に提供し得る。
【００１１】
端末装置は、第１の印刷指示が、ユーザから与えられることを条件として、無線通信設定が、第１の無線通信方式を利用するための設定から、第２の無線通信方式を利用するための設定に変更されることを示す情報を、表示部に表示させる表示制御部を、さらに備えていてもよい。この構成によれば、ユーザは、表示部に表示される情報を見ることによって、無線通信設定が変更されること、あるいは、ユーザが無線通信設定を変更すべきことを知ることができる。
【００１２】
記憶制御部は、さらに、第１の印刷データが印刷装置に供給された後に、上記の所定の記憶領域内の特定の領域であって、上記の特定の画像データが記憶されている上記の特定の領域を解放してもよい。この構成によれば、端末装置は、所定の記憶領域内の容量が不足することを抑制することができる。
【００１３】
第１の特定データは、第１の無線通信方式を利用してウェブサーバから取得されるウェブページデータであってもよい。
【００１４】
第１の無線通信方式は、国際電気通信連合（Ｉｎｔｅｒｎａｔｉｏｎａｌ  Ｔｅｌｅｃｏｍｍｕｎｉｃａｔｉｏｎ  Ｕｎｉｏｎ）によって策定された規格に準拠した通信方式であってもよい。第２の無線通信方式は、Ｗｉ−Ｆｉ  Ａｌｌｉａｎｃｅによって策定された規格に準拠した通信方式であってもよい。
【００１５】
なお、上記の通信装置を実現するための制御方法、コンピュータプログラム、及び、当該コンピュータプログラムが記憶された記憶媒体も、新規で有用である。また、上記の端末装置と上記の印刷装置とを含むシステムも新規で有用である。
【図面の簡単な説明】
【００１６】
【図１】ネットワークシステムの構成を示す。
【図２】印刷データ送信処理のフローチャートを示す。
【図３】各装置の動作を表わすシーケンス図を示す。
【発明を実施するための形態】
【００１７】
（ネットワークシステム２の構成）
図１に示すように、ネットワークシステム２は、携帯端末１０（例えば、携帯電話、ＰＤＡ等）と、ウェブサーバ１００と、プリンタ２００と、を備える。携帯端末１０は、３Ｇ（Third Generation）を利用して、ウェブサーバ１００と通信可能である。また、携帯端末１０は、Ｗｉ−Ｆｉ（Wireless Fidelity）を利用して、ウェブサーバ１００及びプリンタ２００と通信可能である。なお、携帯端末１０は、３ＧとＷｉ−Ｆｉとを含む複数個の無線通信方式のうちの１個の無線通信方式を選択的に利用する。例えば、携帯端末１０の無線通信設定が３Ｇを利用するための設定である場合には、携帯端末１０は、３Ｇを利用して、外部（例えばウェブサーバ１００）と通信を実行する。あるいは、例えば、携帯端末１０の無線通信設定がＷｉ−Ｆｉを利用するための設定である場合には、携帯端末１０は、Ｗｉ−Ｆｉを利用して、外部（例えばウェブサーバ１００、プリンタ２００）と通信を実行する。
【００１８】
３Ｇは、国際電気通信連合（Ｉｎｔｅｒｎａｔｉｏｎａｌ  Ｔｅｌｅｃｏｍｍｕｎｉｃａｔｉｏｎ  Ｕｎｉｏｎ）によって策定されたＩＭＴ−２０００（International Mobile Telecommunication 2000）規格に準拠した無線通信方式である。Ｗｉ−Ｆｉは、Ｗｉ−Ｆｉ  Ａｌｌｉａｎｃｅによって策定された規格に準拠した無線通信方式である。
【００１９】
なお、プリンタ２００は、Ｗｉ−Ｆｉを利用して通信を実行可能であるが、３Ｇを利用して通信を実行不可能である。
【００２０】
（携帯端末１０の構成）
携帯端末１０は、表示部１２と操作部１４と無線インターフェイス１６と制御部２０とを備える。表示部１２は、制御部２０によって指定された情報等を表示する。ユーザは、操作部１４を操作することによって、携帯端末１０に様々な処理を実行させることができる。
【００２１】
制御部２０は、ＣＰＵ３０、ＲＯＭ４０、及び、ＲＡＭ５０を備える。ＣＰＵ３０は、ＲＯＭ４０に記憶されている基本プログラム４２に従って、通常の処理を実行することができる。通常の処理は、音声データ通信処理、電子メール通信処理等を含む。また、ＣＰＵ３０は、ＲＯＭ４０に記憶されているウェブブラウザアプリケーション４４に従って、ウェブサーバ１００から、ウェブページデータを取得することができる。さらに、ＣＰＵ３０は、ＲＯＭ４０に記憶されている印刷アプリケーション４６に従って、処理を実行することもできる。なお、ＣＰＵ３０が印刷アプリケーション４６に従って処理を実行することによって、記憶制御部６０と、供給部６２と、表示制御部６４と、終了制御部６６と、生成部６８と、の各機能が実現される。
【００２２】
ＲＯＭ４０は、基本プログラム４２と、ウェブブラウザアプリケーション４４と、印刷アプリケーション４６と、を記憶している。各プログラム４２〜４６は、携帯端末１０の出荷段階において、携帯端末１０に予めインストールされている。なお、変形例では、端末装置１０は、他の装置（例えば所定のウェブサーバ）から印刷アプリケーション４６を取得して、端末装置１０にインストールしてもよい。なお、その場合、携帯端末１０は、ＲＯＭ４０及び後述するＲＡＭ５０とは異なる記憶領域であるＮＶＲＡＭ、ＨＤＤ等の不揮発性のメモリに、印刷アプリケーション４６を記憶させてもよい。
【００２３】
ＲＡＭ５０は、ワーク領域５２と所定データ記憶領域５４と設定情報記憶領域５６とを備える。ワーク領域５２は、ＣＰＵ３０が上記の通常の処理等を実行する際に生成されるデータ等を、一時的に記憶するために用いられる領域である。ワーク領域５２を用いて実行される処理が終了すると、ワーク領域５２が解放される。なお、「領域が解放される」とは、領域内のデータが消去されること、領域内にデータを上書き可能になること、のどちらでもよい。
【００２４】
例えば、ＣＰＵ３０は、ウェブブラウザアプリケーション４４に従って、ウェブサーバ１００から取得したウェブページデータを、ワーク領域５２に記憶させる。ＣＰＵ３０は、ワーク領域５２に記憶されているウェブページデータによって表わされるウェブページを、表示部１２に表示させる。ＣＰＵ３０は、ウェブブラウザアプリケーション４４が終了されると、ワーク領域５２内のウェブページデータが記憶されている領域を解放する。
【００２５】
所定データ記憶領域５４は、所定の種類のデータが記憶される領域である。例えば、ＣＰＵ３０は、メール通信アプリケーションに従って、外部から電子メールを受信して、所定データ記憶領域５４に記憶させる。ただし、所定データ記憶領域５４内の電子メールが記憶されている領域は、メール通信処理が終了されても解放されない。即ち、所定データ記憶領域５４は、アプリケーションによって利用される所定の種類のデータが記憶される領域であって、当該アプリケーションが終了されても解放されない記憶領域である、なお、ＣＰＵ３０は、ユーザによるデータを消去するための操作等に従って、所定データ記憶領域５４内の当該データが記憶されている領域を解放する。
【００２６】
設定情報記憶領域５６は、ＣＰＵ３０によって利用される各種の設定情報が記憶される領域である。例えば、ＣＰＵ３０が利用すべき１個の無線通信方式を示す無線設定情報が設定情報記憶領域５６に記憶される。本実施例では、端末装置１０のユーザの指示（即ち操作部１４に対する操作）に従って、３Ｇを示す情報とＷｉ−Ｆｉを示す情報とのどちらかが、無線設定情報として設定情報記憶領域５６に記憶される。なお、以下では、設定情報記憶領域５６に３Ｇを示す情報が記憶されている状態のことを「無線通信設定が３Ｇである」と表現し、設定情報記憶領域５６にＷｉ−Ｆｉを示す情報が記憶されている状態のことを「無線通信設定がＷｉ−Ｆｉである」と表現する。
【００２７】
（印刷データ送信処理）
次いで、図２を参照して、携帯端末１０が実行する印刷データ送信処理の内容について説明する。ユーザは、操作部１４を操作することによって、ウェブブラウザアプリケーション４４を起動させることができる。ユーザがＵＲＬを指定する操作を実行すると、ＣＰＵ３０は、ウェブブラウザアプリケーション４４に従って、指定されたＵＲＬに対応するウェブページデータを、ウェブサーバ１００から取得する。携帯端末１０の無線通信設定が３Ｇである場合には、ＣＰＵ３０は、３Ｇを利用して、ウェブページデータを、ウェブサーバ１００から取得して、ワーク領域５２に記憶させる。一方、携帯端末１０の無線通信設定がＷｉ−Ｆｉである場合には、ＣＰＵ３０は、Ｗｉ−Ｆｉを利用して、ウェブページデータを、ウェブサーバ１００から取得して、ワーク領域５２に記憶させる。ＣＰＵ３０は、ウェブブラウザアプリケーション４４に従って、ワーク領域５２内のウェブページデータによって表わされるウェブページを、表示部１２に表示させる。
【００２８】
なお、ユーザは、操作部１４を操作することによって、ウェブページデータによって表わされるウェブページの一部分のみを、表示部１２に表示させることができる。また、ユーザは、ウェブページデータによって表わされるウェブページの全体を、表示部１２に表示させることもできる。
【００２９】
図２のＳ２及びＳ４は、基本プログラム４２に従って実現される処理である。Ｓ２では、ＣＰＵ３０は、ウェブページ（全体又は一部分）が表示部１２に表示されている間に、ユーザが印刷アプリケーション４６を起動するための印刷アプリケーション起動操作を、操作部１４に実行することを監視している。なお、以下では、ユーザによって印刷アプリケーション起動操作が実行される際に、表示部１２に表示されているウェブページを表わすウェブページデータ（即ちワーク領域５２内のウェブページデータ）のことを「特定のウェブページデータ」と呼ぶ。Ｓ２でＹＥＳの場合には、Ｓ４において、ＣＰＵ３０は、印刷アプリケーション４６を起動させる。
【００３０】
印刷アプリケーション４６が起動されると、ＣＰＵ３０は、印刷アプリケーション４６に従って、Ｓ１２〜Ｓ４８の処理を実行する。まず、Ｓ１２において、表示制御部６４は、プレビューデータが、所定データ記憶領域５４に記憶されているのか否かを判断する。プレビューデータは、後述するＳ２４において、記憶制御部６０が、所定データ記憶領域５４に記憶させるデータである。プレビューデータが、所定データ記憶領域５４に記憶されている場合（Ｓ１２でＹＥＳ）、Ｓ１６に進む。
【００３１】
一方、プレビューデータが所定データ記憶領域５４に記憶されていない場合（Ｓ１２でＮＯ）には、Ｓ１４において、表示制御部６４は、ワーク領域５２内の特定のウェブページデータを用いて、プレビューデータを生成して、Ｓ１６に進む。詳細には、表示制御部６４は、Ｓ２において、印刷アプリケーション起動操作が実行される際に、表示部１２に表示されていたウェブページの全体を表わすプレビュー用画像データ（例えばＪＰＥＧ形式のデータ）を生成する。表示制御部６４は、さらに、生成されたプレビュー用画像データによって表わされる画像と、「印刷条件指定」ボタンと、「キャンセル」ボタンと、を含むプレビュー画像を表わすプレビューデータを生成する。表示制御部６４は、生成されたプレビューデータをワーク領域５２に記憶させる。
【００３２】
Ｓ１６では、表示制御部６４は、プレビューデータによって表わされるプレビュー画像を、表示部１２に表示させる。Ｓ１２でＹＥＳと判断された場合のＳ１６では、表示制御部６４は、所定データ記憶領域５４内のプレビューデータによって表わされるプレビュー画像を、表示部１２に表示させる。また、Ｓ１２でＮＯと判断された場合のＳ１６では、表示制御部６４は、ワーク領域５２内のプレビューデータ（Ｓ１４で生成されたプレビューデータ）によって表わされるプレビュー画像を、表示部１２に表示させる。
【００３３】
次いで、Ｓ１８において、ＣＰＵ３０は、プレビュー画像が表示されている間に、ユーザによって、操作部１４に指定開始操作が実行されることを監視する。指定開始操作は、プレビュー画像に含まれる「印刷条件指定」ボタンの操作である。指定開始操作が実行されると、Ｓ１８においてＹＥＳと判断される。一方、プレビュー画像が表示されている間に、プレビュー画像に含まれる「キャンセル」ボタンの操作、あるいは、操作部１４のオンフックボタンの操作が実行されると、Ｓ１８においてＮＯと判断される。
【００３４】
Ｓ１８においてＮＯと判断されると、印刷データ送信処理が終了する。具体的には、ＣＰＵ３０は、Ｓ１６で利用されたプレビューデータが記憶されている領域（即ちワーク領域５２内の領域、又は、所定データ記憶領域５４内の領域）を解放し、さらに、印刷アプリケーション４６を終了することによって、印刷データ送信処理を終了する。
【００３５】
Ｓ１８においてＹＥＳと判断される場合、Ｓ２０において、ＣＰＵ３０は、携帯端末１０の無線通信設定がＷｉ−Ｆｉであるのか否かを判断する。無線通信設定が３Ｇである場合（Ｓ２０でＮＯ）、Ｓ２２に進む。無線通信設定がＷｉ−Ｆｉである場合（Ｓ２０でＹＥＳ）、Ｓ４０に進む。
【００３６】
Ｓ２２では、表示制御部６４は、携帯端末１０の無線通信設定を、３ＧからＷｉ−Ｆｉに変更することを促す情報を、表示部１２に表示させる。次いで、Ｓ２４では、記憶制御部６０は、ワーク領域５２内のプレビューデータ（Ｓ１４で生成されたプレビューデータ）を、所定データ記憶領域５４に記憶させる。
【００３７】
次いで、Ｓ２６では、終了制御部６６は、ユーザから終了の指示が与えられなくても、印刷アプリケーション４６を強制的に終了する。なお、端末装置１０の無線通信設定を変更するためには、印刷アプリケーション４６を終了する必要がある。本実施例では、Ｓ２６で印刷アプリケーション４６が強制的に終了されるために、ユーザは、端末装置１０の無線通信設定を、３ＧからＷｉ−Ｆｉに適切に変更することができる。
【００３８】
また、端末装置１０の無線通信設定を変更するためには、ウェブブラウザアプリケーション４４も終了する必要がある。本実施例では、ＣＰＵ３０は、ウェブブラウザアプリケーション４４を強制的に終了させるのではなく、ユーザの指示に従ってウェブブラウザアプリケーション４４を終了させる。なお、変形例では、印刷アプリケーション４６が強制的に終了されると、ＣＰＵ３０は、基本プログラム４２又は他のプログラムに従って、ユーザから終了の指示が与えられなくても、ウェブブラウザアプリケーション４４を強制的に終了してもよい。
【００３９】
Ｓ１００は、基本プログラム４２に従って実現される処理である。Ｓ１００では、ＣＰＵ３０は、携帯端末１０の無線通信設定が、ユーザによって３ＧからＷｉ−Ｆｉに変更されることを監視している。なお、３ＧからＷｉ−Ｆｉに変更するための操作がユーザによって実行されると、ＣＰＵ３０は、３Ｇを示す情報の代わりに、Ｗｉ−Ｆｉを示す情報を設定情報記憶領域５６に記憶させる。即ち、ＣＰＵ３０は、無線通信設定を３ＧからＷｉ−Ｆｉに変更する。
【００４０】
ユーザによって３ＧからＷｉ−Ｆｉに変更されると（Ｓ１００でＹＥＳの場合）、Ｓ４に戻る。Ｓ４では、ＣＰＵ３０は、印刷アプリケーション４６を再び起動させる。即ち、この場合、ＣＰＵ３０は、ユーザによる印刷アプリケーション４６の起動操作が実行されなくても、印刷アプリケーション４６を強制的に起動させる。
【００４１】
続いて実行されるＳ１２では、Ｓ２４で所定データ記憶領域５４にプレビューデータが記憶されているためにＹＥＳと判断され、Ｓ１６において、所定データ記憶領域５４内のプレビューデータによって表わされるプレビュー画像が、表示部１２に表示される。
【００４２】
Ｓ４０（即ちＳ２０において携帯端末１０の無線通信設定がＷｉ−Ｆｉであると判断された場合）では、表示制御部６４は、印刷条件指定画面を、表示部１２に表示させる。詳細には、表示制御部６４は、まず、Ｗｉ−Ｆｉを利用して、プリンタ２００の現在のステータスを、プリンタ２００から取得する。プリンタ２００の現在のステータスは、プリンタ２００が印刷可能な用紙サイズ、プリンタ２００が印刷可能な色数（カラー、モノクロ）を示す情報、プリンタ２００のデフォルトの設定値（用紙サイズ＝Ａ４、モノクロ印刷等）等を含む。表示制御部６４は、プリンタ２００の現在のステータスが反映されている印刷条件指定画面を、表示部１２に表示させる。
【００４３】
ユーザは、操作部１４を操作することによって、印刷条件の指定操作を実行することができる。例えば、印刷条件指定画面において、プリンタ２００が印刷可能な用紙サイズとして複数個の用紙サイズ（例えば「Ａ４」、「Ｂ４」）が表示されている場合に、ユーザは、複数個の用紙サイズの中から１個の用紙サイズを指定することができる。また、例えば、印刷条件指定画面において、プリンタ２００が印刷可能な色数として複数個の色数（例えば「カラー」、「モノクロ」）が表示されている場合に、ユーザは、複数個の色数の中から１個の色数を指定することができる。
【００４４】
Ｓ４２では、表示制御部６４は、指定完了操作が実行されることを監視している。指定完了操作は、印刷条件指定画面に含まれる「ＯＫ」ボタンの操作である。指定完了操作が実行されると（Ｓ４２でＹＥＳ）、Ｓ４４において、生成部６８は、印刷データを生成する。詳細には、生成部６８は、プレビューデータに含まれるプレビュー用画像データ（例えばＪＰＥＧ形式のデータ）と、Ｓ４２で指定された印刷条件と、を用いて、印刷データ（例えばＰＤＬ形式のデータ）を生成する。より具体的に言うと、例えば、生成部６８は、プレビュー用画像データを用いた画像処理を実行することによって、ユーザによって指定された用紙サイズに適合する縦サイズ及び横サイズを有する画像データを生成する。また、例えば、生成部６８は、プレビュー用画像データを用いた画像処理を実行することによって、ユーザによって指定された色数に適合する画像データを含む印刷データを生成する。
【００４５】
次いで、Ｓ４６において、供給部６２は、携帯端末１０の現在の無線通信設定であるＷｉ−Ｆｉを利用して、Ｓ４４で生成された印刷データを、プリンタ２００に送信する。続いて、Ｓ４８において、記憶制御部６０は、プレビューデータ（Ｓ２４で記憶されたプレビューデータ）が所定データ記憶領域５４に記憶されている場合（即ちＳ１２でＹＥＳの場合）には、プレビューデータが記憶されている領域を解放して、印刷データ送信処理を終了する。
【００４６】
（Ｗｉ−Ｆｉを利用してウェブページデータを取得するケースＡ）
図３のケースＡに示すように、携帯端末１０は、Ｗｉ−Ｆｉを利用して、ウェブサーバ１００からウェブページデータを取得する場合（即ち、携帯端末１０の無線通信設定がＷｉ−Ｆｉである場合）、携帯端末１０の無線通信設定を変更することなく（即ちＷｉ−Ｆｉを利用して）、プリンタ２００に印刷データを送信することができる。なお、図３の携帯端末１０の右側に記載されている処理は、印刷アプリケーション４６に従って実行される処理であり、左側に記載されている処理は、基本プログラム４２又はウェブブラウザアプリケーション４４に従って実行される処理である。
【００４７】
ケースＡでは、表示部１２にウェブページが表示されている間に、印刷アプリケーション４６の起動操作が実行される（図２のＳ２でＹＥＳ）と、表示制御部６４は、プレビュー画像を、表示部１２に表示させる（図２のＳ１２でＮＯの場合のＳ１６）。携帯端末１０の無線通信設定を変更する必要がないために、印刷アプリケーション４６を終了する必要がない。このため、ワーク領域５２内のプレビューデータが消去されない。ケースＡでは、記憶制御部６０は、プレビューデータを、所定データ記憶領域５４に記憶させずに済む。
【００４８】
生成部６８は、指定された印刷条件（図２のＳ４２）と、ワーク領域５２内のプレビューデータと、を用いて、印刷データを生成する（図２のＳ４４）。その後、供給部６２は、Ｗｉ−Ｆｉを利用して、印刷データをプリンタ２００に送信する（図２のＳ４６）。この構成によれば、携帯端末１０は、携帯端末１０の無線通信設定を変更せずに、プリンタ２００に印刷データを供給することができる。この結果、プリンタ２００は、携帯端末１０から取得された印刷データに従って、印刷データによって表わされる画像を、印刷媒体に印刷する。従って、ユーザが望む印刷結果をユーザに適切に提供し得る。
【００４９】
（３Ｇを利用してウェブページデータを取得するケースＢ）
携帯端末１０は、３Ｇを利用して、ウェブサーバ１００からウェブページデータを取得する場合（即ち、携帯端末１０の無線通信設定が３Ｇである場合）、携帯端末１０の無線通信設定を変更しなければ、プリンタ２００に印刷データを送信することができない。何故なら、プリンタ２００が３Ｇを利用して通信不可能だからである。
【００５０】
ケースＢでは、表示部１２にウェブページが表示されている間に、印刷アプリケーション４６の起動操作が実行される（図２のＳ２でＹＥＳ）と、表示制御部６４は、プレビュー画像を、表示部１２に表示させる（図２のＳ１２でＮＯの場合のＳ１６）。さらに、表示制御部６４は、無線通信設定の設定を変更することをユーザに促す情報を、表示部１２に表示させる（図２のＳ２２）。この構成によれば、ユーザは、無線通信設定を変更しなければならないことを知ることができる。
【００５１】
記憶制御部６０は、プレビューデータを、所定データ記憶領域５４に記憶させる（図２のＳ２４）。これにより、印刷アプリケーション４６が終了されても、プレビューデータが消去されずに済む。また、終了制御部６６は、プレビューデータが所定データ記憶領域５４に記憶された後に、印刷アプリケーション４６を強制的に終了させる（図２のＳ２６）。ユーザは、印刷アプリケーション４６を終了させるための操作を、操作部１４に実行せずに済む。
【００５２】
携帯端末１０の無線通信設定が、ユーザによって３ＧからＷｉ−Ｆｉに変更され（図２のＳ１００）、印刷アプリケーション４６が再び起動される（図２のＳ４）と、表示制御部６４は、プレビュー画像を、表示部１２に表示させる（図２のＳ１２でＹＥＳの場合のＳ１６）。この構成によれば、ユーザは、印刷対象の画像を確認することができる。なお、変形例では、ＣＰＵ３０は、印刷アプリケーションが終了されると（図２のＳ２６）、基本プログラム４２又は他のプログラムに従って、携帯端末１０の無線通信設定を３ＧからＷｉ−Ｆｉに自動的に変更してもよい。本変形例では、図２のＳ２２において、表示制御部６４は、無線通信設定が、携帯端末１０によって自動的に変更されることを示す情報を、表示部１２に表示させてもよい。
【００５３】
ユーザによって印刷条件（用紙サイズ、色数等）が指定される（図２のＳ４２）と、生成部６８は、指定された印刷条件（図２のＳ４２でＹＥＳ）と、所定データ記憶領域５４内のプレビューデータと、を用いて、印刷データを生成する（図２のＳ４４）。この構成によれば、ユーザが望む印刷条件に従って、印刷データを生成することができる。この結果、ユーザは、所望の印刷結果を取得することができる。
【００５４】
次いで、供給部６２は、Ｗｉ−Ｆｉを利用して、印刷データをプリンタ２００に送信する（図２のＳ４６）。プリンタ２００は、印刷データを用いて、印刷を実行する。なお、一般的に言うと、供給部６２は、無線通信設定が、第１の無線通信方式（即ち３Ｇ）を利用するための設定から、第２の無線通信方式（即ちＷｉ−Ｆｉ）を利用するための設定に変更された後であって、印刷アプリケーション４６が再び起動される場合に、第２の無線通信方式（即ちＷｉ−Ｆｉ）を利用して、所定の記憶領域（即ち所定データ記憶領域５４）内の画像データを用いて得られる印刷データを、プリンタ２００に供給する。
【００５５】
記憶制御部６０は、印刷データが送信されると、所定データ記憶領域５４内のプレビューデータが記憶されている領域を解放する（図２のＳ４８）。この構成によれば、プレビューデータが所定データ記憶領域５４内に蓄積されて、所定データ記憶領域内の容量が不足することを抑制することができる。
【００５６】
（本実施例の効果）
本実施例の携帯端末１０について詳しく説明した。本実施例では、携帯端末１０は、表示部１２にウェブページが表示されている間に、印刷アプリケーション４６の起動操作が実行される（図２のＳ２でＹＥＳ）状況、即ち、表示部１２に表示されているウェブページをプリンタ２００に印刷させる状況を想定している。このような状況において、携帯端末１０は、表示部１２に表示されているウェブページを表わすプレビュー用画像データを、所定データ記憶領域５４に記憶させる。このため、携帯端末１０の無線通信設定が、３ＧからＷｉ−Ｆｉに変更された後に、携帯端末１０は、Ｗｉ−Ｆｉを利用して、ウェブサーバ１００からウェブページデータを再び取得せずに済み、所定データ記憶領域５４内のプレビュー用画像データを用いて得られる印刷データを、プリンタ２００に送信することができる。この結果、プリンタ２００は、携帯端末１０から受信された印刷データに従って、印刷データによって表わされる画像（即ち、表示部１２に表示されていたウェブページ）を印刷媒体に印刷する。従って、ユーザが望む印刷結果をユーザに適切に提供し得る。
【００５７】
例えば、３Ｇを利用して取得されたウェブページデータによって表わされる特定のウェブページが、表示部１２に表示されている状況を想定する。この場合、３Ｇを利用して上記の特定のウェブページをプリンタ２００に印刷させることができないために、ウェブブラウザアプリケーション４４を一旦終了させた後に、端末装置１０の無線通信設定を３ＧからＷｉ−Ｆｉに変更する必要がある。その後、ウェブブラウザアプリケーション４４が再度起動されても、上記の特定のウェブページと同一のウェブページを表わすウェブページデータを取得できない場合がある。
【００５８】
例えば、地図を含むウェブページの場合には、ウェブページ上で地図をスクロールすることができる。このウェブページでは、地図がスクロールされると、ウェブページ上（表示画面上）の地図は変更されるが、ＵＲＬは変更されない。このケースでは、無線通信設定の変更後、ウェブブラウザアプリケーション４４を再度起動して、同一のＵＲＬを指定してウェブページデータを取得したとしても、同一のウェブページを表示させることができない。従って、３Ｇを利用して取得されたウェブページデータによって表わされる画像の印刷がユーザによって指示されても、無線通信設定を３ＧからＷｉ−Ｆｉに変更した後に、当該画像を表示させることができない、即ち、当該画像の印刷をプリンタ２００に実行させることができない（即ちユーザが望む印刷結果をユーザに提供することができない）、という問題が発生し得る。
【００５９】
このような問題に対処するために、本実施例では、携帯端末１０は、ウェブブラウザアプリケーション４４が終了される前に、表示されているウェブページ（例えばユーザによって印刷が指示された地図の部分）を表わすプレビュー用画像データを、所定データ記憶領域５４に記憶させておく。そして、端末装置１０は、無線通信設定の変更後に、所定データ記憶領域５４内のプレビュー用画像データを用いて、印刷データをプリンタ２００に供給する。このために、ユーザが望む印刷結果（例えばユーザによって印刷が指示された地図の部分）をユーザに適切に提供することができる。
【００６０】
（対応関係）
上記の携帯端末１０が「端末装置」の一例である。「３Ｇ」が「第１の無線通信方式」の一例であり、「Ｗｉ−Ｆｉ」が「第２の無線通信方式」の一例である。印刷アプリケーション４６の起動操作が「第１の印刷指示」の一例である。ウェブサーバ１００から取得されるウェブページデータが「第１の特定のデータ」及び「第２の特定のデータ」、プレビューデータに含まれるプレビュー用画像データが「特定の画像データ」の一例である。所定データ記憶領域５４が、「所定のメモリ領域」の一例である。プリンタ２００が「印刷装置」の一例である。印刷アプリケーション４６が「特定のアプリケーションプログラム」の一例である。
【００６１】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
【００６２】
（変形例）
（１）上記の実施例では、携帯端末１０が選択的に利用する複数個の無線通信方式には、Ｂｌｕｅｔｏｏｔｈ等、３Ｇ及びＷｉ−Ｆｉ以外の無線通信方式が含まれていてもよい。例えば、携帯端末１０は、Ｂｌｕｅｔｏｏｔｈを利用して、プリンタ２００と通信可能であってもよい。ＣＰＵ３０は、プリンタ２００に印刷データを送信する場合に、携帯端末１０の無線通信設定を、Ｂｌｕｅｔｏｏｔｈに変更してもよい（即ち、Ｂｌｕｅｔｏｏｔｈを示す情報を、無線設定情報として設定情報記憶領域５６に記憶してもよい）。この構成では、Ｂｌｕｅｔｏｏｔｈが「第２の無線通信方式」の一例である。
【００６３】
（２）上記の実施例では、ＣＰＵ３０は、ウェブページが表示部１２に表示されている間に、ユーザによって印刷アプリケーション起動操作が実行されることを監視する（図２のＳ２）。しかしながら、特定のウェブページが表示部１２に表示されている間に、表示部１２に表示されている上記の特定のウェブページを表示部１２に表示されていない状態（例えばウィンドウの最小化）に変更するための非表示操作（但し、ウェブブラウザアプリケーション４４が起動されている）が実行されてもよい。その後、上記の特定のウェブページを印刷させるための印刷アプリケーション起動操作がユーザによって実行されてもよい。この変形例では、「非表示操作」及び「印刷アプリケーション起動操作」が、「第１の印刷指示」と「第２の印刷指示」とのそれぞれの一例である。
【００６４】
（３）上記の実施例では、表示制御部６４は、プレビュー用画像データによって表わされる画像と、「印刷条件指定」ボタンと、「キャンセル」ボタンと、を含むプレビュー画像を表わすプレビューデータを生成する。しかしながら、表示制御部６４は、さらに、「印刷」ボタンを含むプレビューデータを生成してもよい（図２のＳ１４）。ＣＰＵ３０は、ユーザによって、「印刷」ボタンの操作がなされると、図２のＳ１８でＹＥＳと判断してもよい。「印刷」ボタンの操作がなされた状況で、図２のＳ２０でＹＥＳと判断されると、図２のＳ４０において、表示制御部６４は、印刷条件指定画面を、表示部１２に表示させなくてもよい。即ち、図２のＳ４０からＳ４２に処理をスキップしてもよい。この場合、図２のＳ４４において、生成部６８は、プレビューデータに含まれるプレビュー用画像データと、プリンタ２００から取得されたデフォルトの設定値と、を用いて、印刷データ（例えばＰＤＬ形式のデータ）を生成してもよい。
【００６５】
（４）上記の実施例では、ＣＰＵ３０が、ユーザからの指示無しに、強制的に印刷アプリケーション４６の終了及び起動を実行している場合がある。しかしながら、ＣＰＵ３０は、ユーザの指示、即ち、ユーザによって印刷アプリケーション４６の起動操作又は終了操作を実行される場合に、印刷アプリケーション４６の起動操作又は終了を実行してもよい。なお、この場合、表示制御部６４は、印刷アプリケーション４６を起動すべき状況において、印刷アプリケーション４６の起動を促す情報を表示部１２に表示させてもよく、印刷アプリケーション４６を終了すべき状況では、印刷アプリケーション４６の終了を促す情報を、表示部１２に表示させてもよい。
【００６６】
（５）上記の実施例では、生成部６８は、プレビューデータに含まれるプレビュー用画像データを用いて、印刷データを生成する（図２のＳ４４）。しかしながら、生成部６８は、印刷データを生成しなくてもよい。この場合、供給部６２は、プレビュー用画像データ（例えばＪＰＥＧ形式のデータ）と、Ｓ４２で指定された印刷条件と、をプリンタ２００に送信してもよい。本変形例では、プレビュー用画像データが、「特定の画像データ」及び「第１の印刷データ」の一例である。
【００６７】
（６）上記の実施例では、記憶制御部６０は、印刷データがプリンタ２００に送信された後（図２のＳ４６）に、所定データ記憶領域５４内のプレビューデータが記憶されている領域を解放する（図２のＳ４８）。しかしながら、記憶制御部６０は、無線通信設定が変更された（図２のＳ１００）後、印刷アプリケーション４６が起動されると（図２のＳ４）、所定データ記憶領域５４に記憶されているプレビューデータを、ワーク領域５２に移動し（所定データ記憶領域５４に記憶されているプレビューデータを用いて、ワーク領域５２にプレビューデータを生成し）、所定データ記憶領域５４に記憶されているプレビューデータを消去してもよい（即ち、所定データ記憶領域５４内のプレビューデータが記憶されている領域を解放してもよい）。一般的には、記憶制御部６０は、無線通信設定が、第１の無線通信方式を利用するための設定である状態で、第１の無線通信方式を利用して外部から取得される第１の特定データによって表わされる第１の画像が表示部に表示されている間に、第１の画像を印刷装置に印刷させるための第１の印刷指示が、ユーザから与えられることを条件として、無線通信設定が変更される前に、第１の画像を表わす特定の画像データを、所定の記憶領域に記憶させ、無線通信設定が変更された後、少なくとも上記の特定の画像データを用いた画像データが生成されるまで、上記の特定の画像データを、上記の所定の記憶領域に保持すると言うことができる。
【００６８】
（７）上記の実施例では、印刷データの送信後（図２のＳ４６）の携帯端末１０の無線通信設定はＷｉ−Ｆｉである。印刷データがプリンタ２００送信（供給）された後に、表示制御部６４は、無線通信設定を変更することをユーザに促す情報を、表示部１２に表示させてもよい。例えば、３Ｇを利用してウェブページデータが取得され、プリンタ２００に印刷データを送信するためだけに無線通信設定をＷｉ−Ｆｉに変更した（図２のＳ１００でＹＥＳ）ユーザは、無線通信設定を３Ｇに戻すことを望む場合がある。従って、例えば、表示制御部６４が、無線通信設定の設定を変更することユーザに促す情報を、表示部１２に表示することによって、ユーザは無線通信設定を変更するための適切なタイミングを知ることができる。なお、表示制御部６４は、印刷データがプリンタ２００に送信（供給）された後、印刷データが送信（供給）されたことを示す情報と、無線通信設定を変更することをユーザに促す情報と、の少なくとも一方の情報を含む印刷データの送信に関する情報を、表示部１２に表示させてもよい。
【００６９】
（８）上記の実施例では、制御部２０は、２個のメモリ４０，５０を備える。しかしながら、制御部２０は、１個のメモリのみを備えていてもよいし、２個のメモリ４０，５０と共に、又は、これに代えて、少なくともハードディスクとＮＶＲＡＭとのどちらかを含む特定の記憶部を備えていてもよい。この場合、上記の特定の記憶部が、所定データ記憶領域５４を備えていてもよい。
【００７０】
（９）上記の実施例では、ＣＰＵ３０が印刷アプリケーション４６に従って処理を実行することによって、各部６０〜６８が実現されるが、各部６０〜６８の少なくとも１個は、論理回路等のハードウェアで実現されてもよい。
【００７１】
（１０）「端末装置」は、携帯端末１０でなくてもよく、ＰＣ等の携帯不可の端末装置であってもよい。
【００７２】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００７３】
２：ネットワークシステム、４：３Ｇ、６：Ｗｉ−Ｆｉ、１０：携帯端末、１２：表示部、１４：操作部、２０：制御部、３０：ＣＰＵ、４２：基本プログラム、４４：ウェブブラウザアプリケーション、４６：印刷アプリケーション、６０：記憶制御部、６２：供給部、６４：表示制御部、６６：終了制御部、６８：生成部、１００：ウェブサーバ、２００：プリンタ
【図１】
0005477318.tif 000002
【図２】
0005477318.tif 000003
【図３】
0005477318.tif 000004